(57)【要約】【課題】コンパクトで強固、保守管理が簡易なマンコンベアの移動手摺駆動装置の提供。【解決手段】駆動力伝達スプロケットからの駆動力を手摺駆動ローラに伝えて移動手摺を駆動する手摺駆動チェーンの緩みを吸収する緩み防止機構が、バネにより手摺駆動チェーンに押圧されるアイドルスプロケットを備えたマンコンベアの移動手摺駆動装置。緩み防止機構の構成部品であるバネ、アイドルスプロケット、リンク機構が全て、マンコンベアの主枠に単一の取付ブラケット上に直接あるいは間接に支持されている。【効果】機構がコンパクトで取付けが簡易で、既存のマンコンベアに容易に追加できる。【選択図】図１
2010018425.tif 000002
【特許請求の範囲】
【請求項１】
マンコンベアの主枠に取り付けられ、駆動源からの駆動力を受けて回転する駆動力伝達スプロケットと、
上記主枠に取り付けられ、移動手摺を駆動する手摺駆動ローラと、
上記駆動力伝達スプロケットおよび上記手摺駆動ローラに巻き掛けられていて、上記駆動力伝達スプロケットから上記手摺駆動ローラに駆動力を伝達する手摺駆動チェーンと、
上記手摺駆動チェーン上を相対的に転動し得るアイドルスプロケットをバネにより上記手摺駆動チェーンに押圧させて上記手摺駆動チェーンの緩みを吸収させる緩み防止機構とを備えたマンコンベアの移動手摺駆動装置において、
上記緩み防止機構の構成部品が全て、上記主枠に取り付けられる単一の取付ブラケットによって直接あるいは間接に支持されていることを特徴とするマンコンベアの移動手摺駆動装置。
【請求項２】
上記緩み防止機構が２組あり、共に上記取付ブラケットに取り付けられており、上記手摺駆動チェーンの進行方向に見て上記駆動力伝達スプロケットの前後の位置に一組ずつ、上記手摺駆動チェーンに対して配置されていて、互いに独立していることを特徴とする請求項１に記載のマンコンベアの移動手摺駆動装置。
【請求項３】
上記緩み防止機構が、上記バネの作用力を上記アイドルスプロケットに伝達するリンク機構を備えていることを特徴とする請求項１あるいは２に記載のマンコンベアの移動手摺駆動装置。
【請求項４】
上記バネが上記取付ブラケットと上記リンク機構との間に設けられていて、上記リンク機構の作動範囲の調節機構が設けられていることを特徴とする請求項１〜３のいずれか一項に記載のマンコンベアの移動手摺駆動装置。
【請求項５】
上記取付ブラケットが、上記主枠に取り付けられ得るものであることを特徴とする請求項１〜４のいずれか一項に記載のマンコンベアの移動手摺駆動装置。
【発明の詳細な説明】
【技術分野】
【０００１】
この発明はマンコンベアの移動手摺駆動装置に関し、特に手摺駆動チェーンの張力を適正に保持する自動緩み防止装置を備えたマンコンベアの移動手摺駆動装置に関するものである。
【背景技術】
【０００２】
従来のマンコンベアの移動手摺駆動装置は、手摺駆動チェーンの張力を適正に保持するために、バネにより手摺駆動チェーンにローラを押し付けてチェーンの適正な張力を維持する自動緩み防止装置を備えている。或る提案によれば、マンコンベアの手摺駆動装置には、駆動スプロケットからの駆動力が伝達される駆動力伝達スプロケットと、移動手摺に沿うように配置された複数の駆動ローラと、移動手摺を挟んで駆動ローラと対向する位置に配置された複数の加圧ローラと、駆動力伝達スプロケットと複数の駆動ローラとの間に巻き掛けられ、複数の駆動ローラにより移動手摺を駆動する手摺駆動チェーンと、駆動力伝達スプロケットの両側からそれぞれ両外側の駆動ローラまで延びている手摺駆動チェーンを外方から内方に向かって内方向に所定の張力で回転可能に押し付ける自動撓み防止機構とが設けられている（例えば特許文献１参照）。
【０００３】
【特許文献１】特開２００６−３２７７５６号公報
【発明の開示】
【発明が解決しようとする課題】
【０００４】
しかしながら、このような従来の自動緩み防止機構においては、Ｖ字状に配置された手摺駆動チェーンを外方から内方に押し付け力を発生させるアイドルスプロケットが設けられている。このアイドルスプロケットは、一端がトラスの固定部に回転可能に枢支されたリンクに取付けられており、リンクの枢支端を手摺駆動装置の両端部近くのトラスに設ける必要があった。そのため取付けスペースを多くとる必要があり、省スペース化を阻害する要因となっていた。また、２本のリンクを別々に取付ける必要があり、取付性が悪いという問題があった。その他にも押し付け力を発生させているバネが２本のリンクを内方に引っ張る引張りバネであるために、押し付け力の調整が困難であり、また引張バネ取付け部の強度にも問題があった。
【０００５】
従ってこの発明の目的は、コンパクトで強固な構成を持ち、保守管理が簡易な、マンコンベアの移動手摺駆動装置を提供することである。
【課題を解決するための手段】
【０００６】
この発明のマンコンベアの移動手摺駆動装置は、マンコンベアの主枠に取り付けられ、駆動源からの駆動力を受けて回転する駆動力伝達スプロケットと、マンコンベアの主枠に取り付けられ、移動手摺を駆動する手摺駆動ローラと、上記駆動力伝達スプロケットおよび上記手摺駆動ローラに巻き掛けられていて、上記駆動力伝達スプロケットから上記手摺駆動ローラに駆動力を伝達する手摺駆動チェーンと、上記手摺駆動チェーン上を転動し得るアイドルスプロケットをバネにより上記手摺駆動チェーンに押圧させて上記手摺駆動チェーンの緩みを吸収させる緩み防止機構とを備えたマンコンベアの移動手摺駆動装置において、上記緩み防止機構の構成部品が全て、上記主枠に取り付けられる単一の取付ブラケットによって直接あるいは間接に支持されていることを特徴とするものである。
【発明の効果】
【０００７】
この発明のマンコンベアの移動手摺駆動装置によれば、部品が全て一体組付けできるので、全て組付けた状態でアーム取付ブラケットをトラスに固定することにより、自動緩み防止機能を付加させることができる。またこの構成により、自動緩み防止機構を省スペースな構成とすることもでき、取付け性も簡易化が図れる。
【発明を実施するための最良の形態】
【０００８】
実施の形態１．
図１はこの発明のマンコンベアの移動手摺駆動装置の一実施形態を示す概略平面図であり、図２は図１に示すマンコンベアの移動手摺駆動装置の概略側面図である。図１および２において、この発明のマンコンベアの移動手摺駆動装置は、マンコンベアのトラス構造でできた主枠１に取り付けられ、図示してない電動機等の駆動源からの駆動力を受けて回転する駆動力伝達スプロケット２と、マンコンベアの主枠１に取り付けられ、移動手摺３を駆動する手摺駆動ローラ４と、駆動力伝達スプロケット２および手摺駆動ローラ４に巻き掛けられていて、駆動力伝達スプロケット２から手摺駆動ローラ４に駆動力を伝達する手摺駆動チェーン５とを備えている。
【０００９】
駆動力伝達スプロケット２は主軸６を軸受７によって回転可能に支持されていて、軸受７はボルト・ナットである締結具８によって主枠１に取り付けられている。手摺駆動ローラ４は、移動手摺３に沿って複数個（図示の場合４個）配置されており、対応する加圧ローラ９との間に移動手摺３を挟持して、手摺駆動チェーン５によってそれぞれのスプロケット１０を介して駆動されて摩擦により移動手摺３を駆動する。駆動力伝達スプロケット２と手摺駆動ローラ４とは、全体として駆動力伝達スプロケット２が二等辺三角形の頂点となるような３角形状に配置されている。このため、手摺駆動チェーン５は、駆動力伝達スプロケット２の前後、即ち手摺駆動チェーン５の進行方向に見て駆動力伝達スプロケット２の前方および後方に向かってＶ字型に延びている。手摺駆動チェーン５の張力を調整すると共に手摺駆動ローラ４のスプロケット１０との間の係合部分長さを十分大きくするために、張力調整スプロケット１１が設けられている。
【００１０】
マンコンベアの移動手摺駆動装置はまた、手摺駆動チェーン５の緩みを自動的に吸収する緩み防止機構１２を備えている。緩み防止機構１２は、手摺駆動チェーン５上を転動し得るアイドルスプロケット１３をバネ１４により手摺駆動チェーン５に押圧させて手摺駆動チェーン５の緩みを吸収するものである。緩み防止機構１２は、それぞれ独立して作用できるものが２組あり、共通の単一の取付ブラケット１５に取り付けられており、取付ブラケット１５は主枠１に取り付けられている。
【００１１】
取付ブラケット１５は、駆動力伝達スプロケット２の主軸６を支持する軸受７を主枠１に取り付ける締結具８であるボルト・ナットによって、軸受７と共に主枠１に固定されている。従って取付ブラケット１５を主枠１に固定するための特別の締結具が不要である。取付ブラケット１５は、断面Ｌ字型の板部材であって、締結具８で固定するための貫通穴を持ち、主枠１に取り付けられる取付板１６と、取付板１６から直角に図で下方に延びて緩み防止機構１２を支持する支持板１７と、取付板１６および支持板１７の両方に対して中央から直角に立ち上がって、取付板１６および支持板１７によって画定される空間を２つに仕切る当て板１８とを持っている。
【００１２】
取付ブラケット１５の支持板１７には、当て板１８の両側にそれぞれ中空円筒形の軸受１９が設けられていて、当て板１８の両側に緩み防止機構１２のそれぞれの構成部品が直接間接に支持されているが、２組の緩み防止機構１２の構造は同じで図１において左右対称であるので、ここでは図１において右側の緩み防止機構１２についてだけ説明する。
【００１３】
取付ブラケット１５に設けられた軸受１９には軸２０が回転可能に挿入されていて、軸２０の図１において取付ブラケット１５の向こう側、図２において左側の端部にはリンク２１の一端が固着されている。リンク２１の他端は上方に延びて駆動力伝達スプロケット２よりも高く、駆動力伝達スプロケット２と手摺駆動ローラ４との間で手摺駆動チェーン５に接触できる位置で、アイドルスプロケット１３を軸２２回りに回転可能に支持している。リンク２１が軸２０回りに図１において反時計方向に回動すると、アイドルスプロケット１３は、この位置で手摺駆動チェーン５を図１において左方向に押圧して手摺駆動チェーン５の緩みを無くす。
【００１４】
軸２０の図１において取付ブラケット１５の手前、図２において右側の端部には、断面がＬ字型のレバー２３が固着されている。レバー２３と当て板１８との間には、先に説明したバネ１４が圧縮状態で設けられていて、レバー２３を軸２２回りに常時反時計方向に回転させるように偏倚している。バネ１４と当て板１８との間にはバネ受け２４が設けられていて、バネ受け２４からはバネ１４の中心を軸方向に延びてレバー２３を貫通してストッパナット２５が嵌められているネジロッド２６が設けられている。
【００１５】
当て板１８とバネ１４との間にバネ受け２４を配置することにより、それぞれのバネ１４のバネカを調整することが可能になる。調整方法としては、バネ受け２４と当て板１８との間にスペーサを挿入する、バネ受け２４の厚さを変える、当て板１８に固定されたネジロッド２６に対するバネ受け２４の取付け位置を変えるなどの方法をとることができる。この構成により、バネ１４にて左右のアイドルスプロケット１３に個別に押し付け力を作用させることができ、作用力も個別に設定することができる。また、押し付け力の調整も平易な方法で調整可能となる。
【００１６】
このように、互いに軸２０によって結合され、取付ブラケット１５上に軸受１９によって回転可能に支持されたリンク２１とレバー２３とは、バネ１４の作用力をアイドルスプロケット１３に伝達するリンク機構２７（２０、２１、２３）を構成しており、リンク機構２７の動作範囲は、バネ１４の両端に設けられたバネ受け２４、ストッパナット２５およびネジロッド２６で構成された調整機構２８（２５、２６、２７）によって調整することができる。
【００１７】
以上説明したように、この発明のマンコンベアの移動手摺駆動装置によれば、緩み防止機構１２の構成部品が全て、主枠１に取り付けられる単一の取付ブラケット１５によって直接あるいは間接に支持されている。従って、部品を全て一体組付けできるので、全て組付けた状態で取付ブラケット１５を主枠１のトラスに固定することにより、自動緩み防止機能を既設のマンコンベアに付加装備することができる。またこの構成により、自動緩み防止機構１２をコンパクトで省スペースな構成とすることもでき、取付け性も簡易化を図かることができる。
【００１８】
また、緩み防止機構１２が２組あり、共に取付ブラケット１５に取り付けられており、手摺駆動チェーン５の進行方向に見て駆動力伝達スプロケット２の前後の位置に一組ずつ、手摺駆動チェーン５に対して配置されていて、互いに独立している。従って、自動緩み防止機構１２のバネ１４によって、左右のアイドルスプロケット１３に個別に押し付け力を作用させることができ、作用力も個別に設定することができる。押し付け力の調整も簡易な方法で調整可能となる。
【００１９】
また、緩み防止機構１２は、バネ１４の作用力をアイドルスプロケット１３に伝達するリンク機構２７を備えている。従って、自動緩み防止機構を省スペースな構成とすることもでき、取付け性も簡易化を図ることができ、押しバネにて左右のアイドルスプロケット１３に個別に押し付け力を作用させることができ、作用力も個別に設定することができる。また、押し付け力の調整も簡易な方法で調整可能となる。
【００２０】
また、バネ１４は、取付ブラケット１５とリンク機構２７との間に設けられていて、リンク機構２７の作動範囲の調節機構が設けられている。従って、緩み防止機能の動作範囲を制限することができる。更に手摺駆動チェーンの伸び状態を把握し、張力調整を実施でき、保守管理の簡易化を図ることもできる。レバー２３は主軸６などの他の部品との干渉を起こすことが考えられるため緩み防止機能の動作範囲は制限する必要がある。この制限方法として、当て板１８に固定されたネジロッド２６にストッパであるストッパナット２５を取付け、規定以上レバー２３が回転するとストッパナット２５に当たりそれ以上の回転を規制することで、緩み防止機能の範囲を制限することができる。また、レバー２３とストッパナット２５との間の寸法を管理することにより、手摺駆動チェーン５の伸び状態を把握することができる。この管理により、保守員はチェーン張力調整用の張力調整スプロケット１１により手摺駆動チェーン５の張力調整を実施することになり、保守管理の簡易化も図れる。
【００２１】
更に、取付ブラケット１５は、主枠１に取り付けられ得るものである。従って、自動緩み防止機構１２を省スペースな構成とすることもでき、取付けも簡易かつ確実にできる。
【図面の簡単な説明】
【００２２】
【図１】この発明のマンコンベアの移動手摺駆動装置の一実施形態を示す概略平面図である。
【図２】図１に示すマンコンベアの移動手摺駆動装置の概略側面図である。
【符号の説明】
【００２３】
１  主枠、２  駆動力伝達スプロケット、３  移動手摺、４  手摺駆動ローラ、  ５  手摺駆動チェーン、１２  緩み防止機構、１３  アイドルスプロケット、１４  バネ、１５  取付ブラケット、２７  リンク機構、２８  調節機構。
【図１】
2010018425.tif 000003
【図２】
2010018425.tif 000004